(57)【要約】【課題】上下方向に大型化するのを抑制しながら、被読取体の凹凸を読み取ることが可能な画像読取装置及びそれを備えた画像形成装置を提供する。【解決手段】画像読取装置１０は、コンタクトガラス１１と、原稿Ｑに光を照射する照明部２０と、原稿Ｑからの反射光を受光するＣＣＤセンサー１６と、を備える。照明部２０は、第１導光部材２１および第２導光部材２２と、第１導光部材２１の第１端面２１ａおよび第２導光部材２２の第１端面２２ａに対向配置される２個の第１光源２７と、第１導光部材２１の第２端面２１ｂおよび第２導光部材２２の第２端面２２ｂに対向配置される２個の第２光源２８と、を有する。第２端面２１ｂ、２２ｂに入射し光出射領域２５から出射する光の原稿Ｑに対する入射角は、第１端面２１ａ、２２ａに入射し光出射領域２５から出射する光の原稿Ｑに対する入射角よりも大きい。【選択図】図５
2020120237.tif 000002
【特許請求の範囲】
【請求項１】
被読取体が載置されるコンタクトガラスと、
前記コンタクトガラスの下方に配置され、前記被読取体に光を照射する照明部と、
前記被読取体からの反射光を受光し、受光した反射光を電気信号に変換して出力する光電変換部と、
前記照明部を制御する照明制御部と、
を備え、
前記照明部は、
主走査方向に延びるとともに、前記被読取体で反射され前記光電変換部で受光される光の光軸に対して副走査方向の一方側および他方側にそれぞれ配置される第１導光部材および第２導光部材と、
前記第１導光部材の主走査方向一方端および前記第２導光部材の主走査方向他方端にそれぞれ形成された第１端面に対向配置される２個の第１光源と、
前記第１導光部材の主走査方向他方端および前記第２導光部材の主走査方向一方端にそれぞれ形成された第２端面に対向配置される２個の第２光源と、
を有し、
前記第１導光部材および前記第２導光部材の各々は、
前記被読取体とは反対側の部分に前記主走査方向に延びるようにそれぞれ設けられ、前記第１光源から出射し前記第１端面に入射した光を反射する第１プリズム領域、及び前記第２光源から出射し前記第２端面に入射した光を反射する第２プリズム領域と、
前記被読取体側の部分に前記主走査方向に延びるように設けられ、前記第１プリズム領域および前記第２プリズム領域で反射した光を前記被読取体に向かって出射する光出射領域と、
を有し、
前記第２端面に入射し前記第２プリズム領域で反射され前記光出射領域から出射する光の前記被読取体に対する入射角は、前記第１端面に入射し前記第１プリズム領域で反射され前記光出射領域から出射する光の前記被読取体に対する入射角よりも大きく、
前記照明制御部は、
前記被読取体の画像を読み取る通常読取モードにおいて、前記第１光源および前記第２光源のうちの前記第１光源のみを発光させ、
表面に凹凸を有する前記被読取体の凹凸および画像を読み取るエンボス読取モードにおいて、前記第１光源および前記第２光源のうちの前記第２光源のみを発光させることを特徴とする画像読取装置。
【請求項２】
前記第１プリズム領域には、前記第１端面に入射した光を前記光出射領域に向かって反射する第１反射面を有する第１プリズムが前記主走査方向に沿って複数設けられており、
前記第２プリズム領域には、前記第２端面に入射した光を前記光出射領域に向かって反射する第２反射面を有する第２プリズムが前記主走査方向に沿って複数設けられており、
前記第２反射面の前記主走査方向に対する傾斜角は、前記第１反射面の前記主走査方向に対する傾斜角よりも小さいことを特徴とする請求項１に記載の画像読取装置。
【請求項３】
前記第１導光部材において、前記第２プリズム領域は前記第１プリズム領域の前記副走査方向の一方側に配置され、
前記第２導光部材において、前記第２プリズム領域は前記第１プリズム領域の前記副走査方向の他方側に配置されていることを特徴とする請求項１または２に記載の画像読取装置。
【請求項４】
前記通常読取モードにおいて前記第１導光部材から前記被読取体に向かう光の光軸と前記第２導光部材から前記被読取体に向かう光の光軸との交点と、前記コンタクトガラスの上面と、の距離は、前記エンボス読取モードにおいて前記第１導光部材から前記被読取体に向かう光の光軸と前記第２導光部材から前記被読取体に向かう光の光軸との交点と、前記コンタクトガラスの上面と、の距離よりも短いことを特徴とする請求項１〜３のいずれか１項に記載の画像読取装置。
【請求項５】
請求項１〜４のいずれか１項に記載の画像読取装置と、
前記画像読取装置により読み取られた画像データに基づいて記録媒体に画像を形成する画像形成部と、
を備えることを特徴とする画像形成装置。
【発明の詳細な説明】
【技術分野】
【０００１】
本発明は、デジタル複写機やイメージスキャナー等に用いられる、被読取体の画像等を読み取る画像読取装置及びそれを備えた画像形成装置に関する。
【背景技術】
【０００２】
従来、原稿（被読取体）が載置されるコンタクトガラスと、コンタクトガラス下に配置される光源および導光部材を含む照明装置と、原稿からの反射光を受光して電気信号に変換するＣＣＤセンサー等からなる光電変換部と、を備えた画像読取装置が知られている。
【０００３】
画像読取装置は、通常、印字物や写真等の平面上に記録された画像を読み取るが、クレジットカードや点字文書等に形成された凹凸（エンボス情報）を読み取ることも要求される。
【０００４】
そこで、表面に凹凸を有さない原稿の画像を読み取る通常読取モードにおいて原稿に対して正面方向から光を照射する第１の照明装置と、表面に凹凸を有するクレジットカードや点字文書等（被読取体）の凹凸を読み取るエンボス読取モードにおいて被読取体に対して斜め方向から光を照射する第２の照明装置と、を備えた画像読取装置が知られている（例えば特許文献１参照）。第１の照明装置は、８個の第１の光源と、第１の光源からの光を原稿に向かって反射する凹状に湾曲した反射板と、を含んでいる。第２の照明装置は、１０個の第２の光源と、第２の光源からの光を被読取体に導く２個のレンズと、を含んでいる。また、拡散板は、第１の光源、第２の光源およびレンズの上方を覆うように配置されている。
【０００５】
この画像読取装置では、第１の照明装置を用いた場合、原稿に対して正面方向から光を照射することにより、原稿にしわや折り目が形成されている場合であっても、影が生じるのを抑制することができるので、原稿の画像を読み取ることができる。また、第２の照明装置を用いた場合、被読取体に対して斜め方向から光を照射することにより、被読取体の凹凸に応じて影が生じるので、凹凸を読み取ることができる。
【先行技術文献】
【特許文献】
【０００６】
【特許文献１】特開２００７−４８０４６号公報
【発明の概要】
【発明が解決しようとする課題】
【０００７】
しかしながら、上記従来の画像読取装置では、凹状に湾曲した反射板が第１の光源、第２の光源およびレンズの上方を覆うように配置されているため、画像読取装置が上下方向に大きくなってしまう、という問題点があった。
【０００８】
本発明は、上記のような課題を解決するためになされたものであり、本発明の目的は、上下方向に大型化するのを抑制しながら、被読取体の凹凸を読み取ることが可能な画像読取装置及びそれを備えた画像形成装置を提供することである。
【課題を解決するための手段】
【０００９】
上記目的を達成するために、本発明の第１の局面に係る画像読取装置は、被読取体が載置されるコンタクトガラスと、コンタクトガラスの下方に配置され、被読取体に光を照射する照明部と、被読取体からの反射光を受光し、受光した反射光を電気信号に変換して出力する光電変換部と、照明部を制御する照明制御部と、を備える。照明部は、主走査方向に延びるとともに、被読取体で反射され光電変換部で受光される光の光軸に対して副走査方向の一方側および他方側にそれぞれ配置される第１導光部材および第２導光部材と、第１導光部材の主走査方向一方端および第２導光部材の主走査方向他方端にそれぞれ形成された第１端面に対向配置される２個の第１光源と、第１導光部材の主走査方向他方端および第２導光部材の主走査方向一方端にそれぞれ形成された第２端面に対向配置される２個の第２光源と、を有する。第１導光部材および第２導光部材の各々は、被読取体とは反対側の部分に主走査方向に延びるようにそれぞれ設けられ、第１光源から出射し第１端面に入射した光を反射する第１プリズム領域、及び第２光源から出射し第２端面に入射した光を反射する第２プリズム領域と、被読取体側の部分に主走査方向に延びるように設けられ、第１プリズム領域および第２プリズム領域で反射した光を被読取体に向かって出射する光出射領域と、を有する。第２端面に入射し第２プリズム領域で反射され光出射領域から出射する光の被読取体に対する入射角は、第１端面に入射し第１プリズム領域で反射され光出射領域から出射する光の被読取体に対する入射角よりも大きい。照明制御部は、被読取体の画像を読み取る通常読取モードにおいて、第１光源および第２光源のうちの第１光源のみを発光させ、表面に凹凸を有する被読取体の凹凸および画像を読み取るエンボス読取モードにおいて、第１光源および第２光源のうちの第２光源のみを発光させる。
【発明の効果】
【００１０】
本発明の第１の局面に係る画像読取装置によれば、第２端面に入射し第２プリズム領域で反射され光出射領域から出射する光の被読取体に対する入射角は、第１端面に入射し第１プリズム領域で反射され光出射領域から出射する光の被読取体に対する入射角よりも大きい。そして、照明制御部は、被読取体の画像を読み取る通常読取モードにおいて、第１光源および第２光源のうちの第１光源のみを発光させ、表面に凹凸を有する被読取体の凹凸および画像を読み取るエンボス読取モードにおいて、第１光源および第２光源のうちの第２光源のみを発光させる。これにより、第１光源のみを発光させた場合、被読取体に対して正面方向から光を照射することにより、被読取体にしわや折り目が形成されている場合であっても、影が生じるのを抑制することができるので、被読取体の画像を読み取ることができる。また、第２光源のみを発光させた場合、被読取体に対して斜め方向から光を照射することにより、被読取体の凹凸に応じて影が生じるので、凹凸を読み取ることができる。
【００１１】
また、表面に凹凸を有する被読取体の凹凸を読み取るために、第１導光部材および第２導光部材の第２端面に対向するように第２光源を配置するとともに、第１導光部材および第２導光部材に第２プリズム領域を設けるだけなので、画像読取装置が上下方向に大型化するのを抑制することができる。
【図面の簡単な説明】
【００１２】
【図１】本発明の一実施形態に係る画像読取装置を備えた画像形成装置の内部構成を示す正面断面図である。
【図２】本発明の一実施形態の画像読取装置の内部構成を示す正面断面図である。
【図３】本発明の一実施形態の画像読取装置の上面図である。
【図４】本発明の一実施形態の画像読取装置の第１導光部材および第２導光部材周辺の構造を示す図であり、第１光源のみを発光させたときに第１導光部材および第２導光部材から出射する光の様子を示す図である。
【図５】本発明の一実施形態の画像読取装置の第１導光部材および第２導光部材周辺の構造を示す図であり、第１光源のみを発光させたときに第１導光部材および第２導光部材から出射する光の様子を示すイメージ図である。
【図６】本発明の一実施形態の画像読取装置の第１導光部材および第２導光部材周辺の構造を示す図であり、第２光源のみを発光させたときに第１導光部材および第２導光部材から出射する光の様子を示す図である。
【図７】本発明の一実施形態の画像読取装置の第１導光部材および第２導光部材周辺の構造を示す図であり、第２光源のみを発光させたときに第１導光部材および第２導光部材から出射する光の様子を示すイメージ図である。
【図８】本発明の一実施形態の画像読取装置の第１導光部材および第２導光部材の第１プリズムの構造を示す拡大図である。
【図９】本発明の一実施形態の画像読取装置の第１導光部材および第２導光部材の第２プリズムの構造を示す拡大図である。
【図１０】本発明の一実施形態の画像読取装置の第１光源のみを発光させたときに第１導光部材および第２導光部材から出射する光を副走査方向から見た図である。
【図１１】本発明の一実施形態の画像読取装置の第２光源のみを発光させたときに第１導光部材および第２導光部材から出射する光を副走査方向から見た図である。
【図１２】本発明の一実施形態の画像読取装置の制御経路の一例を示すブロック図である。
【発明を実施するための形態】
【００１３】
以下、本発明の実施形態について図面を参照して説明する。
【００１４】
図１は、本発明の一実施形態に係る画像読取装置１０を備えた画像形成装置１００の内部構成を示す正面断面図であり、図２は、本発明の一実施形態の画像読取装置１０の内部構成を示す正面断面図であり、図３は、本発明の一実施形態の画像読取装置１０の上面図である。
【００１５】
図１に示すように、画像形成装置１００は、装置本体の下部に配設された給紙部１と、給紙部１の右方および上方に配設された用紙搬送部２と、用紙搬送部２の上方に配設された画像形成部３と、画像形成部３よりも用紙搬送方向下流側に配設された定着部４と、これらの画像形成部３および定着部４の上方に配設された画像読取装置１０と、この画像読取装置１０の上方に配設された原稿搬送装置６とを備えている。
【００１６】
用紙搬送部２は、給紙部１から給紙された用紙（記録媒体）を画像形成部３に向けて搬送し、さらに、画像形成部３から定着部４において画像形成が施された用紙を排出トレイ７上に排出するようになっている。
【００１７】
画像形成部３は、電子写真プロセスによって、画像読取装置１０により読み取られた原稿の画像データに基づいて用紙に所定のトナー像を形成する。定着部４は、画像形成部３においてトナー像が転写された用紙にトナー像を定着させる。
【００１８】
原稿搬送装置６は、コピー（複写）開始の指示入力などに応答して、原稿トレイ８上に載置された原稿を自動的に１枚ずつ搬送するとともに、原稿の露光走査後に原稿排出トレイ（図示略）上へ排出させる、いわゆるシートスルー方式の原稿読み取りを行うものである。
【００１９】
画像読取装置１０は、原稿搬送装置６によって搬送される原稿やコンタクトガラス上に載置された原稿に光を照射して、その反射光を電気信号に変換することにより原稿の画像情報を読み取るとともに、その原稿画像に対応する画像データを生成するものである。
【００２０】
図２に示すように、画像読取装置１０には、原稿Ｑの画像面（図２の下面）に光を照射する照明部２０と、原稿Ｑからの反射光（画像光）を受光して電気信号に変換するＣＣＤセンサー（光電変換部）１６と、が設けられており、原稿Ｑの画像や後述する凹凸を読み取ることが可能である。なお、図２では、原稿反射光の光路を一点鎖線で示している。
【００２１】
画像読取装置１０の上面には図２および図３に示すように、コンタクトガラス１１と、原稿固定方式で原稿Ｑを読み取る際に原稿Ｑの左端（副走査方向（矢印Ｙ方向）の一方端、図２の左端）を突き当てて位置決めするための位置決め部材１２と、原稿の奥端（主走査方向（矢印Ｘ方向）の一方端、図３の上端）を突き当てて位置決めするための位置決め部材１３と、が設けられている。なお、位置決め部材１２の下部には、白色基準板１４が嵌め込まれている。
【００２２】
コンタクトガラス１１は、位置決め部材１２に対して副走査方向一方側（図２の左側）に配置される第１画像読取部Ｒ１と、位置決め部材１２に対して副走査方向他方側（図２の右側）に配置される第２画像読取部Ｒ２と、を有する。原稿搬送装置６によって原稿Ｑを自動的に搬送して読み取るシートスルー方式の場合、原稿搬送装置６によって原稿Ｑが第１画像読取部Ｒ１に搬送され、第１画像読取部Ｒ１を通過している原稿Ｑの画像を読み取る。一方、原稿搬送装置６を用いない原稿固定方式では、読み取る毎に原稿搬送装置６を開閉してコンタクトガラス１１の第２画像読取部Ｒ２に原稿を１枚ずつ取り替えて読み取りを行う。
【００２３】
コンタクトガラス１１の下方には図２に示すように、照明部２０を有し、副走査方向に往復移動可能な光学ユニット３０と、原稿Ｑからの反射光を反射するとともに、副走査方向に往復移動可能な反射ユニット４０と、反射ユニット４０からの光を受光するＣＣＤセンサー１６を有する光電変換ユニット１５と、光学ユニット３０および反射ユニット４０を副走査方向に移動させる駆動モーター５１を有する駆動機構５０（図１２参照）と、等が設けられている。
【００２４】
光学ユニット３０は、照明部２０の他に、照明部２０から出射し原稿Ｑで反射された反射光を直接受けて所定方向（図２の左方向）に反射する第１ミラー３１を有する。なお、照明部２０の詳細構造については後述する。
【００２５】
反射ユニット４０は図２に示すように、第１ミラー３１からの反射光を受けて反射する第２ミラー４１と、第２ミラー４１からの反射光を受けて光電変換ユニット１５に向かって反射する第３ミラー４２と、を有する。
【００２６】
光電変換ユニット１５は、反射ユニット４０からの反射光を導入して集光するレンズ群１７と、このレンズ群１７で集光された原稿反射光を受けて電気信号に変換するＣＣＤセンサー１６と、を有し、画像読取装置１０のフレーム１０ａに固定されている。
【００２７】
ここで、照明部２０及び第１ミラー３１は光学ユニット３０の筐体（図示せず）に一体的に固定され、また、第２ミラー４１および第３ミラー４２は反射ユニット４０の筐体（図示せず）に一体的に固定されており、これらの光学ユニット３０と反射ユニット４０は、相互に独立しているが連携して往復移動可能になっている。
【００２８】
つまり、上記のシートスルー方式で原稿画像の読取動作が行われる際は、光学ユニット３０が第１画像読取部Ｒ１の直下に移動し、原稿反射光の光路長は所定長さに保持される。他方、原稿固定方式の際は、光学ユニット３０と反射ユニット４０は相互に原稿反射光の光路長を上記所定長さに維持しながら第２画像読取部Ｒ２を往復移動する。
【００２９】
このような構成のもと、照明部２０から照射されて原稿Ｑの画像面で反射した原稿反射光は、第１ミラー３１、第２ミラー４１および第３ミラー４２で反射してレンズ群１７に導入され、レンズ群１７で集光されてＣＣＤセンサー１６上に結像する。ＣＣＤセンサー１６は、受光した反射光を電気信号に変換して出力する。
【００３０】
次に、照明部２０の詳細構造について説明する。
【００３１】
照明部２０は、主走査方向に延びる棒状（ここでは略円柱状）の第１導光部材２１および第２導光部材２２と、２個の第１光源２７および２個の第２光源２８と、によって構成されている。第１光源２７および第２光源２８は、ＬＥＤなどの発光素子からなる。
【００３２】
図２に示すように、第１導光部材２１および第２導光部材２２は、原稿Ｑで反射されＣＣＤセンサー１６で受光される光の光軸Ｌに対して副走査方向の一方側（左側）および他方側（右側）にそれぞれ配置されている。図３に示すように、第１導光部材２１は、主走査方向一方端（図３の下端）に形成された第１端面２１ａと、主走査方向他方端（図３の上端）に形成された第２端面２１ｂと、を有する。第２導光部材２２は、主走査方向他方端（図３の上端）に形成された第１端面２２ａと、主走査方向一方端（図３の下端）に形成された第２端面２２ｂと、を有する。
【００３３】
第１導光部材２１の第１端面２１ａおよび第２導光部材２２の第１端面２２ａには、第１光源２７が対向配置されている。第１導光部材２１の第２端面２１ｂおよび第２導光部材２２の第２端面２２ｂには、第２光源２８が対向配置されている。第１光源２７および第２光源２８から出射した光は、第１導光部材２１および第２導光部材２２に入射し、主走査方向に導光される。
【００３４】
図４に示すように、第１導光部材２１および第２導光部材２２の各々は、下部（原稿Ｑとは反対側の部分）に主走査方向に延びる第１プリズム領域２３および第２プリズム領域２４と、上部（原稿Ｑ側の部分）に主走査方向に延びる光出射領域２５と、を有する。
【００３５】
図４および図５に示すように、第１プリズム領域２３は、第１光源２７から出射し第１端面２１ａおよび２２ａに入射した光を光出射領域２５に向かって反射する。図６および図７に示すように、第２プリズム領域２４は、第２光源２８から出射し第２端面２１ｂおよび２２ｂに入射した光を光出射領域２５に向かって反射する。光出射領域２５は、第１プリズム領域２３および第２プリズム領域２４からの光を原稿Ｑに向かって出射する。
【００３６】
第１プリズム領域２３には図５に示すように、凹状の第１プリズム２３ａが主走査方向に沿って複数設けられている。第１プリズム２３ａは、主走査方向に対して傾斜し、第１端面２１ａおよび２２ａに入射した光を光出射領域２５に向かって反射する第１反射面２３ｂと、主走査方向に対して略垂直に配置され、第２端面２１ｂおよび２２ｂに入射した光を透過する第１透過面２３ｃと、を有する。
【００３７】
第２プリズム領域２４には図６に示すように、凹状の第２プリズム２４ａが主走査方向に沿って複数設けられている。第２プリズム２４ａは、主走査方向に対して第１反射面２３ｂとは反対側に傾斜し、第２端面２１ｂおよび２２ｂに入射した光を光出射領域２５に向かって反射する第２反射面２４ｂと、主走査方向に対して略垂直に配置され、第１端面２１ａおよび２２ａに入射した光を透過する第２透過面２４ｃと、を有する。
【００３８】
このため、第１光源２７から出射し第１導光部材２１および第２導光部材２２に入射した光のうち、第１プリズム領域２３に到達した光は光出射領域２５から原稿Ｑに向かって出射し、第２プリズム領域２４に到達した光は第２透過面２４ｃから外部に漏れる。また、第２光源２８から出射し第１導光部材２１および第２導光部材２２に入射した光のうち、第１プリズム領域２３に到達した光は第１透過面２３ｃから外部に漏れ、第２プリズム領域２４に到達した光は光出射領域２５から原稿Ｑに向かって出射する。すなわち、第１光源２７が発光した場合、第１プリズム領域２３の作用を受けた光が原稿Ｑを照射し、第２光源２８が発光した場合、第２プリズム領域２４の作用を受けた光が原稿Ｑを照射する。
【００３９】
ここで、第２反射面２４ｂの主走査方向に対する傾斜角θ２４ｂ（図９参照）は、第１反射面２３ｂの主走査方向に対する傾斜角θ２３ｂ（図８参照）よりも小さく設定されている。このため、副走査方向から見て、第２反射面２４ｂで反射され光出射領域２５から出射する光（図１１参照）の原稿Ｑに対する入射角は、第１反射面２３ｂで反射され光出射領域２５から出射する光（図１０参照）の原稿Ｑに対する入射角よりも大きくなる。
【００４０】
図４に示すように、第１導光部材２１において、第２プリズム領域２４は、第１プリズム領域２３の副走査方向の一方側（図４の左側）に配置されている。第２導光部材２２において、第２プリズム領域２４は、第１プリズム領域２３の副走査方向の他方側（図４の右側）に配置されている。言い換えると、第２プリズム領域２４は、第１プリズム領域２３の副走査方向外側に配置されている。このため、主走査方向から見て、第２プリズム領域２４で反射され光出射領域２５から出射する光（図６参照）の原稿Ｑに対する入射角は、第１プリズム領域２３で反射され光出射領域２５から出射する光（図４参照）の原稿Ｑに対する入射角よりも大きくなる。
【００４１】
また、図４に示すように、第１導光部材２１の第１プリズム領域２３で反射され光出射領域２５から出射する光の光軸と、第２導光部材２２の第１プリズム領域２３で反射され光出射領域２５から出射する光の光軸と、の交点Ｐ２３は、コンタクトガラス１１の上面上、又はコンタクトガラス１１の上面から少しだけ上方の位置に配置される。その一方、図６に示すように、第１導光部材２１の第２プリズム領域２４で反射され光出射領域２５から出射する光の光軸と、第２導光部材２２の第２プリズム領域２４で反射され光出射領域２５から出射する光の光軸と、の交点Ｐ２４は、コンタクトガラス１１の下面から所定距離隔てた下方の位置に配置される。このため、交点Ｐ２３とコンタクトガラス１１の上面との距離Ｌ２３（図４参照）は、交点Ｐ２４とコンタクトガラス１１の上面との距離Ｌ２４（図６参照）よりも短くなっている。
【００４２】
図１２は、画像読取装置１０の制御経路の一例を示すブロック図である。図１２に示すように、制御部（照明制御部）８０は、ＣＰＵ（Central Processing Unit）、ＲＯＭ（Read Only Memory）およびＲＡＭ（Random Access Memory）等によって構成されており、操作パネル（取得部）６０からの入力信号を受信したりするように構成されている。制御部８０は、画像読取装置１０全体を制御する。なお、制御部８０は、画像形成装置１００を制御する本体制御部（図示せず）との間で通信可能で、画像読取装置１０のみを制御するように構成されていてもよいし、画像形成装置１００を制御する本体制御部を兼ねるように構成されていてもよい。
【００４３】
例えば、制御部８０は、設定されたプログラムに従い駆動機構５０の駆動モーター５１に制御信号を送信して光学ユニット３０及び反射ユニット４０の駆動を制御するとともに、照明部２０の第１光源２７および第２光源２８の発光タイミングを個別に制御する。また、制御部８０は、ＣＣＤセンサー１６からの電気信号を、必要に応じて解像度処理、変倍処理或いは階調処理して画像データを作成する。
【００４４】
操作パネル６０には、ユーザーにより原稿Ｑの種類に関する情報が入力される。具体的には、操作パネル６０には、ユーザーにより原稿Ｑのサイズに関する情報が入力される。また、操作パネル６０には、表面に凹凸を有さない原稿Ｑ等の画像を読み取る通常読取モードを実行するか、又は表面に凹凸を有する原稿Ｑ等（例えばクレジットカードや点字文書）の凹凸および画像を読み取るエンボス読取モードを実行するか、がユーザーにより入力される。そして、操作パネル６０は、取得した情報を制御部８０に送信する。
【００４５】
この画像読取装置１０では、通常読取モードを実行する場合、制御部８０は第２光源２８を発光させず、第１光源２７のみを発光させる。これにより、図４および図５に示すように、原稿Ｑ等は正面方向（入射角の小さい方向）から照明されるので、原稿Ｑ等にしわや折り目が形成されている場合であっても、影が生じるのを抑制することができる。
【００４６】
その一方、エンボス読取モードを実行する場合、制御部８０は第１光源２７を発光させず、第２光源２８のみを発光させる。これにより、図６および図７に示すように、原稿Ｑ等（例えばクレジットカードや点字文書）は斜め方向（入射角の大きい方向）から照明されるので、原稿Ｑ等の凹凸に応じた影が生じ、原稿Ｑ等の凹凸および画像を読み取ることができる。
【００４７】
なお、表面に凹凸を有する原稿Ｑ等を斜め方向から照明すると、凹凸の段差の分だけ照明光が光軸からずれる。このとき、原稿Ｑ等に対する光の入射角が大きいため、照明光の光軸からのずれ量（ずれ角度）が大きくなり、照射光量が低下する。このため、凹凸に応じた影が生じる。
【００４８】
本実施形態では、上記のように、第２端面２１ｂ、２２ｂに入射し第２プリズム領域２４で反射され光出射領域２５から出射する光の原稿Ｑ等に対する入射角は、第１端面２１ａ、２２ａに入射し第１プリズム領域２３で反射され光出射領域２５から出射する光の原稿Ｑ等に対する入射角よりも大きい。そして、制御部８０は、原稿Ｑ等の画像を読み取る通常読取モードにおいて、第１光源２７および第２光源２８のうちの第１光源２７のみを発光させ、表面に凹凸を有する原稿Ｑ等の凹凸を読み取るエンボス読取モードにおいて、第１光源２７および第２光源２８のうちの第２光源２８のみを発光させる。これにより、第１光源２７のみを発光させた場合、原稿Ｑ等に対して正面方向から光を照射することにより、原稿Ｑ等にしわや折り目が形成されている場合であっても、影が生じるのを抑制することができるので、原稿Ｑ等の画像を読み取ることができる。また、第２光源２８のみを発光させた場合、原稿Ｑ等に対して斜め方向から光を照射することにより、原稿Ｑ等の凹凸に応じて影が生じるので、凹凸を読み取ることができる。
【００４９】
また、表面に凹凸を有する原稿Ｑ等の凹凸を読み取るために、第１導光部材２１の第２端面２１ｂおよび第２導光部材２２の第２端面２２ｂに対向するように第２光源２８を配置するとともに、第１導光部材２１および第２導光部材２２に第２プリズム領域２４を設けるだけなので、画像読取装置１０が上下方向に大型化するのを抑制することができる。
【００５０】
また、上記のように、第２プリズム２４ａの第２反射面２４ｂの主走査方向に対する傾斜角θ２４ｂは、第１プリズム２３ａの第１反射面２３ｂの主走査方向に対する傾斜角θ２３ｂよりも小さい。これにより、副走査方向から見て、第２端面２１ｂ、２２ｂに入射し第２プリズム領域２４で反射され光出射領域２５から出射する光の原稿Ｑ等に対する入射角を、第１端面２１ａ、２２ａに入射し第１プリズム領域２３で反射され光出射領域２５から出射する光の原稿Ｑ等に対する入射角よりも容易に大きくすることができる。
【００５１】
また、上記のように、第１導光部材２１において、第２プリズム領域２４は第１プリズム領域２３の副走査方向の一方側（図４の左側）に配置され、第２導光部材２２において、第２プリズム領域２４は第１プリズム領域２３の副走査方向の他方側（図４の右側）に配置されている。すなわち、第２プリズム領域２４は、第１プリズム領域２３の副走査方向外側に配置されている。これにより、主走査方向から見て、第２端面２１ｂ、２２ｂに入射し第２プリズム領域２４で反射され光出射領域２５から出射する光の原稿Ｑ等に対する入射角を、第１端面２１ａ、２２ａに入射し第１プリズム領域２３で反射され光出射領域２５から出射する光の原稿Ｑ等に対する入射角よりも容易に大きくすることができる。
【００５２】
また、上記のように、通常読取モードにおいて第１導光部材２１から原稿Ｑ等に向かう光の光軸と第２導光部材２２から原稿Ｑ等に向かう光の光軸との交点Ｐ２３と、コンタクトガラス１１の上面と、の距離Ｌ２３は、エンボス読取モードにおいて第１導光部材２１から原稿Ｑ等に向かう光の光軸と第２導光部材２２から原稿Ｑ等に向かう光の光軸との交点Ｐ２４と、コンタクトガラス１１の上面と、の距離Ｌ２４よりも短い。これにより、第２光源２８のみを発光させた場合、原稿Ｑ等の凹凸の段差（高さ）に応じた照射光量の低下を大きくすることができるので、原稿Ｑ等の凹凸に応じた影をより生じさせることができる。このため、凹凸をより読み取りやすくすることができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、本発明の画像読取装置が搭載される画像形成装置として、ここではデジタル複合機についてのみ示したが、本発明はアナログ方式の複写機やカラー複写機等の、他のタイプの画像形成装置、或いは画像形成装置と別体のイメージスキャナーにも適用できるのはもちろんである。
【符号の説明】
【００５５】
３  画像形成部
１０  画像読取装置
１１  コンタクトガラス
１６  ＣＣＤセンサー（光電変換部）
２０  照明部
２１  第１導光部材
２１ａ、２２ａ  第１端面
２１ｂ、２２ｂ  第２端面
２２  第２導光部材
２３  第１プリズム領域
２３ａ  第１プリズム
２３ｂ  第１反射面
２４  第２プリズム領域
２４ａ  第２プリズム
２４ｂ  第２反射面
２５  光出射領域
２７  第１光源
２８  第２光源
８０  制御部（照明制御部）
１００  画像形成装置
Ｌ  光軸
Ｌ２３、Ｌ２４  距離
Ｐ２３、Ｐ２４  交点
Ｑ  原稿（被読取体）
θ２３ｂ、θ２４ｂ  傾斜角
【図１】
2020120237.tif 000003
【図２】
2020120237.tif 000004
【図３】
2020120237.tif 000005
【図４】
2020120237.tif 000006
【図５】
2020120237.tif 000007
【図６】
2020120237.tif 000008
【図７】
2020120237.tif 000009
【図８】
2020120237.tif 000010
【図９】
2020120237.tif 000011
【図１０】
2020120237.tif 000012
【図１１】
2020120237.tif 000013
【図１２】
2020120237.tif 000014